(57)【特許請求の範囲】
【請求項１】
食品の長手板状の小片を包装するための包装方法であって、
前記板状小片を１つずつ個包装するための個包装紙を準備し、当該個包装紙は、板状小片を含んだ状態で、板状小片の長手方向にみて、一端側包装紙部と他端側包装紙部とに分離可能に加工されており、
板状小片の所定の複数枚をそれぞれ前記個包装紙によって個包装し、それらを横方向に整列させた状態で裏側外包装材上に配列し、
裏側外包装材には、予め、前記配列される複数枚の個包装板状小片の各個包装紙の前記他端側包装紙部を裏側外包装材に固定するための接着層を設けておき、
前記裏側外包装材の一縁から伸び出た裏側外包装材と対をなす形状の表側外包装材を、前記一縁に沿って折り返して前記整列された複数枚の個包装板状小片の上面側を覆い、
前記裏側外包装材と表側外包装材との周縁部同士をシールして、内部に個包装された複数枚の板状小片を密閉することを特徴とする、包装方法。
【請求項２】
食品の長手板状の小片を包装するための包装方法であって、
前記板状小片を１つずつ個包装するための個包装紙を準備し、当該個包装紙は、板状小片を含んだ状態で、板状小片の長手方向にみて、一端側包装紙部と他端側包装紙部とに分離可能に加工されており、
板状小片の所定の複数枚をそれぞれ前記個包装紙によって個包装し、それらを横方向に整列させた状態で裏側外包装材上に配列し、
前記裏側外包装材の一縁から伸び出た裏側外包装材と対をなす形状の表側外包装材に、予め、前記配列される複数枚の個包装板状小片の各個包装紙の前記他端側包装紙部を表側外包装材に固定するための接着層を設けておき、
前記表側外包装材を、前記一縁に沿って折り返して前記整列された複数枚の個包装板状小片の上面側を覆った上で接着し、
前記裏側外包装材と表側外包装材との周縁部同士をシールして、内部に個包装された複数枚の板状小片を密閉することを特徴とする、包装方法。
【請求項３】
食品の長手板状の小片を包装するための包装方法であって、
前記板状小片を１つずつ個包装するための個包装紙を準備し、当該個包装紙は、板状小片を含んだ状態で、板状小片の長手方向にみて、一端側包装紙部と他端側包装紙部とに分離可能に加工されており、
板状小片の所定の複数枚をそれぞれ前記個包装紙によって個包装し、それらを横方向に整列させ、
前記整列させた複数枚の個包装板状小片の裏面側全体を覆う裏側シートと、前記整列された複数枚の個包装板状小片の表面側全体を覆う表側シートとを含み、前記裏側シートおよび表側シートは、平面視が略矩形状であり、可撓性のある包装シートで作られている、外包装シートを準備し、
前記整列された複数枚の個包装板状小片が、前記外包装シート内で位置ずれしたり、ばらけることがないように、前記各個包装紙の前記他端側包装紙部を前記外包装シートの内面に固定し、
前記整列させた複数枚の個包装板状小片を裏面および表面からはさみ込んだ前記裏側シートおよび表側シートの周縁部同士をシールして、前記裏側シートおよび表側シートの間に前記整列された複数枚の個包装板状小片を密閉し、
前記外包装シートの縁に形成された外包装シールを破り裂いて開封するための開封ガイド切り込みを形成することを特徴とする、包装方法。
【請求項４】
食品の長手板状の小片を包装するための包装方法であって、
前記板状小片を１つずつ個包装するための個包装紙を準備し、当該個包装紙は、板状小片を含んだ状態で、板状小片の長手方向にみて、一端側包装紙部と他端側包装紙部とに分離可能に加工されており、
板状小片の所定の複数枚をそれぞれ前記個包装紙によって個包装し、それらを横方向に整列させた状態で裏側外包装材上に配列し、
前記裏側外包装材と対をなす形状の表側外包装材で、前記整列された複数枚の個包装板状小片の上面側を覆い、
前記裏側外包装材と表側外包装材との周縁部同士をシールして、内部に個包装された複数枚の板状小片を密閉する方法において、
裏側外包装材に、予め、前記配列される複数枚の個包装板状小片の各個包装紙の前記他端側包装紙部を裏側外包装材に固定するための接着層を設けるステップを含むことを特徴とする、包装方法。
【請求項５】
食品の長手板状の小片を包装するための包装方法であって、
前記板状小片を１つずつ個包装するための個包装紙を準備し、当該個包装紙は、板状小片を含んだ状態で、板状小片の長手方向にみて、一端側包装紙部と他端側包装紙部とに分離可能に加工されており、
板状小片の所定の複数枚をそれぞれ前記個包装紙によって個包装し、それらを横方向に整列させた状態で裏側外包装材上に配列し、
前記裏側外包装材と対をなす形状の表側外包装材で、前記整列された複数枚の個包装板状小片の上面側を覆い、
前記裏側外包装材と表側外包装材との周縁部同士をシールして、内部に個包装された複数枚の板状小片を密閉する方法において、
表側外包装材に、予め、前記配列される複数枚の個包装板状小片の各個包装紙の前記他端側包装紙部を表側外包装材に固定するための接着層を設けるステップを含むことを特徴とする、包装方法。
【発明の詳細な説明】
【技術分野】
【０００１】
この発明は、食品を収納するための包装容器および食品の包装方法に関する。
【背景技術】
【０００２】
小袋で個包装した菓子等を外袋に収容する包装構成が知られている（たとえば、特許文献１参照）。
【先行技術文献】
【特許文献】
【０００３】
【特許文献１】実開昭５７−１３１４５４号公報
【発明の概要】
【発明が解決しようとする課題】
【０００４】
特許文献１の場合は、外袋内において菓子（小袋）が固定されていないので、外袋を破いて開封すると、外袋内の菓子が不意にばらけてこぼれ出し、床面等に散乱する虞がある。これでは、外袋内の菓子の携行性が低下するので、使い勝手が悪い。
この発明は、かかる背景のもとでなされたもので、外袋を開封したとき、およびその後において使い勝手のよい食品の包装容器および包装方法を提供することを主たる目的とする。
【０００５】
また、この発明は、収容された食品を衛生的に食べることができる食品の包装容器および包装方法を提供することを別の目的とする。
【課題を解決するための手段】
【０００９】
請求項１記載の発明は、食品の長手板状の小片を包装するための包装方法であって、前記板状小片を１つずつ個包装するための個包装紙を準備し、当該個包装紙は、板状小片を含んだ状態で、板状小片の長手方向にみて、一端側包装紙部と他端側包装紙部とに分離可能に加工されており、板状小片の所定の複数枚をそれぞれ前記個包装紙によって個包装し、それらを横方向に整列させた状態で裏側外包装材上に配列し、裏側外包装材には、予め、前記配列される複数枚の個包装板状小片の各個包装紙の前記他端側包装紙部を裏側外包装材に固定するための接着層を設けておき、前記裏側外包装材の一縁から伸び出た裏側外包装材と対をなす形状の表側外包装材を、前記一縁に沿って折り返して前記整列された複数枚の個包装板状小片の上面側を覆い、前記裏側外包装材と表側外包装材との周縁部同士をシールして、内部に個包装された複数枚の板状小片を密閉することを特徴とする、包装方法である。
【００１０】
請求項２記載の発明は、食品の長手板状の小片を包装するための包装方法であって、前記板状小片を１つずつ個包装するための個包装紙を準備し、当該個包装紙は、板状小片を含んだ状態で、板状小片の長手方向にみて、一端側包装紙部と他端側包装紙部とに分離可能に加工されており、板状小片の所定の複数枚をそれぞれ前記個包装紙によって個包装し、それらを横方向に整列させた状態で裏側外包装材上に配列し、前記裏側外包装材の一縁から伸び出た裏側外包装材と対をなす形状の表側外包装材に、予め、前記配列される複数枚の個包装板状小片の各個包装紙の前記他端側包装紙部を表側外包装材に固定するための接着層を設けておき、前記表側外包装材を、前記一縁に沿って折り返して前記整列された複数枚の個包装板状小片の上面側を覆った上で接着し、前記裏側外包装材と表側外包装材との周縁部同士をシールして、内部に個包装された複数枚の板状小片を密閉することを特徴とする、包装方法である。
【００１１】
請求項３記載の発明は、食品の長手板状の小片を包装するための包装方法であって、前記板状小片を１つずつ個包装するための個包装紙を準備し、当該個包装紙は、板状小片を含んだ状態で、板状小片の長手方向にみて、一端側包装紙部と他端側包装紙部とに分離可能に加工されており、板状小片の所定の複数枚をそれぞれ前記個包装紙によって個包装し、それらを横方向に整列させ、前記整列させた複数枚の個包装板状小片の裏面側全体を覆う裏側シートと、前記整列された複数枚の個包装板状小片の表面側全体を覆う表側シートとを含み、前記裏側シートおよび表側シートは、平面視が略矩形状であり、可撓性のある包装シートで作られている、外包装シートを準備し、前記整列された複数枚の個包装板状小片が、前記外包装シート内で位置ずれしたり、ばらけることがないように、前記各個包装紙の前記他端側包装紙部を前記外包装シートの内面に固定し、前記整列させた複数枚の個包装板状小片を裏面および表面からはさみ込んだ前記裏側シートおよび表側シートの周縁部同士をシールして、前記裏側シートおよび表側シートの間に前記整列された複数枚の個包装板状小片を密閉し、前記外包装シートの縁に形成された外包装シールを破り裂いて開封するための開封ガイド切り込みを形成することを特徴とする、包装方法である。
【００１２】
請求項４記載の発明は、食品の長手板状の小片を包装するための包装方法であって、前記板状小片を１つずつ個包装するための個包装紙を準備し、当該個包装紙は、板状小片を含んだ状態で、板状小片の長手方向にみて、一端側包装紙部と他端側包装紙部とに分離可能に加工されており、板状小片の所定の複数枚をそれぞれ前記個包装紙によって個包装し、それらを横方向に整列させた状態で裏側外包装材上に配列し、前記裏側外包装材と対をなす形状の表側外包装材で、前記整列された複数枚の個包装板状小片の上面側を覆い、前記裏側外包装材と表側外包装材との周縁部同士をシールして、内部に個包装された複数枚の板状小片を密閉する方法において、裏側外包装材に、予め、前記配列される複数枚の個包装板状小片の各個包装紙の前記他端側包装紙部を裏側外包装材に固定するための接着層を設けるステップを含むことを特徴とする、包装方法である。
請求項５記載の発明は、食品の長手板状の小片を包装するための包装方法であって、前記板状小片を１つずつ個包装するための個包装紙を準備し、当該個包装紙は、板状小片を含んだ状態で、板状小片の長手方向にみて、一端側包装紙部と他端側包装紙部とに分離可能に加工されており、板状小片の所定の複数枚をそれぞれ前記個包装紙によって個包装し、それらを横方向に整列させた状態で裏側外包装材上に配列し、前記裏側外包装材と対をなす形状の表側外包装材で、前記整列された複数枚の個包装板状小片の上面側を覆い、前記裏側外包装材と表側外包装材との周縁部同士をシールして、内部に個包装された複数枚の板状小片を密閉する方法において、表側外包装材に、予め、前記配列される複数枚の個包装板状小片の各個包装紙の前記他端側包装紙部を表側外包装材に固定するための接着層を設けるステップを含むことを特徴とする、包装方法である。
【発明の効果】
【００１３】
この発明によれば、食品の板状小片を個包装する個包装紙は、板状小片の長手方向にみて、一端側包装紙部と他端側包装紙部とに分離可能である。そして、裏側外包装材上に、個包装された複数枚の板状小片を横方向に整列状態で配列し、表側外包装材を、裏側外包装材の一縁に沿って折り返して前記整列された複数枚の個包装板状小片の上面側を覆う。そして、裏側外包装材と表側外包装材との周縁部同士をシール部でシールすると、合わさった裏側外包装材および表側外包装材によって包装容器（外袋）が完成し、個包装された複数枚の板状小片は、包装容器内で密閉される。
【００１４】
ここで、個包装された複数枚の板状小片の各個包装紙の他端側包装紙部が、接着部材（接着層）によって裏側外包装材および表側外包装材の少なくとも一方に固定されている。そのため、包装容器を開封しても、包装容器内の板状小片の位置がずれることはなく、これらの板状小片がばらけて包装容器外へこぼれることはない。これにより、包装容器（外袋）を開封したとき、およびその後において使い勝手がよい。
【００１５】
また、開封された包装容器から、個包装された板状小片を取り出す際、一端側包装紙部を介して板状小片が摘まれる。この状態で、板状小片を包装容器から引き出すと、接着部材（接着層）によって包装容器側に固定された他端側包装紙部と、一端側包装紙部とが分離するので、板状小片は、今まで他端側包装紙部に覆われていた他端側部分が露出された状態で、包装容器から取り出される。そのため、個包装紙を手で剥かなくても板状小片の他端側部分を露出させ、この他端側部分から板状小片を食べることができる。このように、包装容器から板状小片を取り出して食べるまでの間に、板状小片に直接触れずに済むので、包装容器に収容された食品（板状小片）を衛生的に食べることができる。
【００１６】
そして、裏側外包装材および表側外包装材が前記一縁でつながって一体的に形成されているので、裏側外包装材および表側外包装材を折り重なるようにし、それぞれ包装材の周縁部同士をシール部でシールすることによって、容易に包装容器を形成できる。この場合、各包装材の三辺をシールすれば済む（四辺全てをシールしなくてよい）ので、シールに係る工程の簡略化を図ることもできる。また、個包装板状小片が配列される裏側外包装材でなく、表側外包装材に接着層を設けるのであれば、接着層を設ける工程の自由度が広がるので、その分、様々な製造装置を用いることができる。
【００１７】
ただし、裏側外包装材と表側外包装材とは、別体であってもよい。各個包装紙の他端側包装紙部を裏側外包装材に固定するのであれば、前記整列された複数枚の個包装板状小片の上面側を表側外包装材で覆う前に、予め、裏側外包装材に接着層を設けることが好ましい。各個包装紙の他端側包装紙部を表側外包装材に固定するのであれば、前記整列された複数枚の個包装板状小片の上面側を表側外包装材で覆う前に、予め、表側外包装材に接着層を設けることが好ましい。
【００１８】
シール部に形成された開封ガイド切り込みによって、裏側外包装材および表側外包装材を円滑に破り裂いて包装容器を開封することができるので使い勝手がよい。
裏側外包装材および表側外包装材は、平面視が略矩形状であり、かつ、可撓性のある軟包材で形成されていることが好ましい。
【図面の簡単な説明】
【００１９】
【図１】図１は、食品であるガム１（板状小片）を個包装紙２で包んで食品ユニット３を形成する手順を説明するための図であり、（ａ）は、ガム１を個包装紙２に載せた状態を示し、（ｂ）は、（ａ）のガム１を個包装紙２で包んで食品ユニット３を完成させた状態を示している。
【図２】図２は、この発明の一実施形態に係る包装容器１００の展開図である。
【図３】図３は、完成状態にある包装容器１００を示しており、図３（ａ）は、包装容器１００の平面図であり、図３（ｂ）は、図３（ａ）のＡ−Ａ矢視断面図である。
【図４】図４は、包装容器１００の平面図であって、その一部を破いている状態を示している。
【図５】図５は、一部を破いた包装容器１００からガム１を取り出す様子を説明するための図であり、図５（ａ）は、包装容器１００の平面図であり、図５（ｂ）は、図５（ａ）のＢ−Ｂ矢視断面図である。
【図６】図６は、ガム１を１つ取り出した後に包装容器１００を折り畳む様子を説明するための図である。
【発明を実施するための形態】
【００２０】
以下には、図面を参照して、この発明の実施形態について具体的に説明する。
この発明の一実施形態に係る包装容器１００は、食品であるガムの板状小片を複数まとまった状態で収容（包装）するためのものである。包装容器１００の説明に先立って、まず、板状小片であるガム１について説明する。
図１は、食品であるガム１（板状小片）を個包装紙２で包んで食品ユニット３を形成する手順を説明するための図である。
【００２１】
図１（ａ）を参照して、ガム１は、縦長直方体形状をなす薄手のブロック形状（長手板状）である。
ガム１は、個包装紙２に包まれる。ガム１と、これを包んだ状態にある個包装紙２とは、食品ユニット３を構成する。
個包装紙２は、いわゆる銀紙やワックスペーパーやフィルムであり、展開した状態では、ガム１全体を包み込む大きさを有する長方形状である。個包装紙２では、その長手方向におけるどちらかへ偏った位置に、個包装紙２の短手方向に沿って個包装紙２を横切って延びるミシン目４が形成されている。
【００２２】
図１（ａ）に示すように、１つのガム１を、１枚の個包装紙２の中央部に、それぞれの長手方向が一致するように載置する。そして、個包装紙２においてガム１からはみ出た部分を折り畳んで、図１（ｂ）に示すように、ガム１を個包装紙２で包む。このようにガム１を１つずつ個包装紙２で包んだ（個包装した）ものが、食品ユニット３である。食品ユニット３は、個包装紙２の厚みの分だけガム１より一回り大きい縦長ブロック形状である。食品ユニット３を立てると、食品ユニット３では、その長手方向である縦方向において下端側へ偏った位置に、個包装紙２のミシン目４が位置しており、ミシン目４は、食品ユニット３の短手方向（横方向）に延びてガム１を一周している。食品ユニット３を立てた状態を基準として、ミシン目４は、ガム１を包んだ状態にある個包装紙２を、ガム１の長手方向（縦方向、上下方向）にみて、ミシン目４より上側の分離部２Ａ（一端側包装紙部）と、ミシン目４より下側の固定部２Ｂ（他端側包装紙部）とに区画している。個包装紙２は、ガム１を包んだ状態で、分離部２Ａと固定部２Ｂとに分離可能である。なお、個包装紙２を包装容器１００の一部とみなしてもよい。また、個包装紙２が分離部２Ａと固定部２Ｂとに分離可能となるのであれば、個包装紙２にミシン目４を設ける以外に、ミシン目４の位置における個包装紙２を半分程度切断（ハーフカット）してもよい。
【００２３】
そして、ガム１を所定の複数枚（ここでは、１つの包装容器１００につき、６枚）用意して、各ガム１を個包装紙２によって個包装して、食品ユニット３を複数（６個）用意する。なお、ミシン目４は、個包装紙２において、その長手方向で偏った位置に形成されている必要はなく、たとえば、長手方向中央位置に形成されていてもよい。また、個包装紙２は、分離部２Ａまたは固定部２Ｂになる２枚の紙の一部をオーバーラップさせたもので構成されていて、一方側の紙を摘んで引き抜く（分離する）構成であってもよい。
【００２４】
次に、包装容器１００について説明する。
図２は、この発明の一実施形態に係る包装容器１００の展開図である。図３は、完成状態にある包装容器１００を示しており、図３（ａ）は、包装容器１００の平面図であり、図３（ｂ）は、図３（ａ）のＡ−Ａ矢視断面図である。なお、図３（ａ）のＡ−Ａ線は、包装容器１００の短手方向に沿って延びて、包装容器１００および包装容器１００内の食品ユニット３を切断する仮想的な直線である。
【００２５】
図２を参照して、包装容器１００は、展開された状態では、平面視が略矩形状のシート５０である。このシート５０を略二等分して、一方を裏側外包装材５１といい、他方を表側外包装材５２ということにする。図２では、シート５０の上半分が裏側外包装材５１であり、シート５０の下半分が表側外包装材５２である。裏側外包装材５１の一縁（図２では下端縁）５３は、裏側外包装材５１と表側外包装材５２との境界線であり、横方向に直線状に延びている。一縁５３は、表側外包装材５２の一縁（図２では上端縁）でもある。表側外包装材５２は、裏側外包装材５１の一縁５３から伸び出ている。
【００２６】
裏側外包装材５１および表側外包装材５２は、可撓性のある軟包材で一体的に形成されている。裏側外包装材５１および表側外包装材５２は、平面視で同じ大きさの横方向に長手の略矩形状である。つまり、裏側外包装材５１および表側外包装材５２は、対をなす形状である。裏側外包装材５１および表側外包装材５２のそれぞれの大きさは、各包装材の短手方向に沿って長手となった食品ユニット３（ガム１）を横方向に隙間なく６つ整列させた場合に、これら６つの食品ユニット３が余裕を持って載置される程度に設定されている。
【００２７】
そして、６つの食品ユニット３を、裏側外包装材５１および表側外包装材５２のそれぞれの短手方向に沿って長手となる姿勢で、横方向に隙間なく６つ整列させる。
次いで、これらの整列した食品ユニット３を、シート５０における裏側外包装材５１上に配列する。換言すれば、裏側外包装材５１は、これらの食品ユニット３を受け止める。これらの食品ユニット３は、平面視において、裏側外包装材５１の外周縁の内側に収まるように、裏側外包装材５１の中心側で一縁５３に偏った位置に配置される。各食品ユニット３の個包装紙２では、分離部２Ａよりも固定部２Ｂが一縁５３側に位置している。
【００２８】
このように食品ユニット３を配置すると、裏側外包装材５１において、６つの食品ユニット３のまとまりの周りには、これらの食品ユニット３を取り囲むように略Ｕ字状（図２では逆Ｕ字状）の余白ができる。この余白には、裏側シール部５が設けられている。裏側シール部５は、ヒートシールやコールドシールによって接着力を発揮する接着剤である。
裏側シール部５は、裏側外包装材５１において一縁５３以外の三辺の周縁を縁取っている。また、表側外包装材５２において、一縁５３を基準として裏側シール部５と対称になる部分には、表側シール部６が設けられている。表側シール部６は、裏側シール部５と同じ接着剤であって、表側外包装材５２において一縁５３以外の三辺の周縁を縁取る略Ｕ字形状である。裏側シール部５と表側シール部６とはつながっていて、これらは、まとまった状態で、シール部７を構成している。シール部７は、図２において右下へ延びる斜線のハッチングが付された部分であり、シート５０の外周縁の全域を縁取る略矩形額縁状である。なお、シール部７を構成する裏側シール部５および表側シール部６のうち、一方が接着剤であって、他方は接着剤でなくてもよい。この場合、当該他方は、シート５０の周縁部そのものである。
【００２９】
ここで、裏側外包装材５１において食品ユニット３が載置される面には、横方向に延びる帯状をなす接着部材８（接着層）が予め設けられている。接着部材８は、接着剤であってもよいし、粘着テープであってもよい。接着部材８は、包装容器１００に含まれる。接着部材８は、図２において右上へ延びる斜線のハッチングが付された部分であり、裏側外包装材５１において一縁５３の近傍に設けられている。そのため、前述したように整列した６つの食品ユニット３を裏側外包装材５１上に配列すると、接着部材８は、６つ全ての食品ユニット３における個包装紙２の固定部２Ｂと裏側外包装材５１との間に介在され（図３（ｂ）参照）、平面視において、全ての食品ユニット３の固定部２Ｂを横切っている。接着部材８は、全ての食品ユニット３の固定部２Ｂを裏側外包装材５１に固定している。これにより、全ての食品ユニット３は、裏側外包装材５１に対して相対移動不能に固定されている。なお、接着部材８は、全ての食品ユニット３の固定部２Ｂに接着できるのであれば、帯状でなくてもよく、この場合、途中で途切れた破線状であってもよい。
【００３０】
このように全ての食品ユニット３を裏側外包装材５１に固定してから、表側外包装材５２を、裏側外包装材５１の一縁５３に沿って、裏側外包装材５１上の食品ユニット３側へ折り返す。すると、表側外包装材５２は、裏側外包装材５１に完全に重なる。そのため、裏側外包装材５１において一縁５３以外の３辺にある裏側シール部５と、表側外包装材５２において一縁５３以外の３辺にある表側シール部６とが完全に重なり合う。この状態が図３に示されている。
【００３１】
図３では、表側外包装材５２が、裏側外包装材５１上で整列された全ての食品ユニット３（ガム１）の上面側（図３（ａ）における手前側であり、図３（ｂ）における左側）を覆っている。
裏側外包装材５１の裏側シール部５と、表側外包装材５２の表側シール部６とは、ヒートシールやコールドシールによって、互いに接着される。これにより、表側外包装材５２と裏側外包装材５１との一縁５３以外の周縁部同士が、裏側シール部５および表側シール部６（シール部７）によってシールされる。この結果、重なり合った表側外包装材５２および裏側外包装材５１によって、横方向に長手の長方形状であって袋状の包装容器１００が形成される。包装容器１００の内部には、裏側外包装材５１に固定された６つの食品ユニット３が収容されている。つまり、包装容器１００は、内部の食品ユニット３に対する外袋となる。表側外包装材５２と裏側外包装材５１との一縁５３以外の周縁部同士がシール部７によってシールされ、かつ、表側外包装材５２と裏側外包装材５１とが一縁５３でつながっていることから、包装容器１００内の６つの食品ユニット３は、密閉されている。
【００３２】
このように、一体形成された裏側外包装材５１および表側外包装材５２を折り重なるようにし、それぞれ包装材の周縁部同士をシール部７でシールすることによって、容易に包装容器１００を形成できる。この場合、各包装材の三辺をシールすれば済む（四辺全てをシールしなくてよい）ので、シールに係る工程の簡略化を図ることもできる。
ここで、完成した包装容器１００の横方向両端縁のシール部７において、一縁５３とは反対側に偏った位置に、開封ガイド切り込み９が形成されている。開封ガイド切り込み９は、図３（ａ）に示すように包装容器１００の内側へ向けて細くなる三角形状であってもよいし、包装容器１００の内側へ向けて尖るホームベース形状であってもよいし、横方向に延びる直線状であってもよい。
【００３３】
図４は、包装容器１００の平面図であって、その一部を破いている状態を示している。図５は、一部を破いた包装容器１００からガム１を取り出す様子を説明するための図であり、図５（ａ）は、包装容器１００の平面図であり、図５（ｂ）は、図５（ａ）のＢ−Ｂ矢視断面図である。図６は、ガム１を１つ取り出した後に包装容器１００を折り畳む様子を説明するための図である。なお、図５（ａ）のＢ−Ｂ線は、包装容器１００の短手方向に沿って延びて、包装容器１００および包装容器１００から取り出される食品ユニット３を切断する仮想的な直線である。
【００３４】
図４を参照して、包装容器１００において一縁５３とは反対側の端部において、左右のいずれかの開封ガイド切り込み９の近傍部分を掴んで引っ張る。すると、この開封ガイド切り込み９を起点（きっかけ）として、この開封ガイド切り込み９が形成されたシール部７から表側外包装材５２および裏側外包装材５１が破り裂かれ、包装容器１００が開封される。ここで、開封ガイド切り込み９によって裏側外包装材５１および表側外包装材５２を円滑に破り裂いて包装容器１００を開封することができるので使い勝手がよい。
【００３５】
前述したように、包装容器１００内では、各食品ユニット３の個包装紙２の固定部２Ｂが、接着部材８によって裏側外包装材５１に固定されている（図３（ｂ）参照）。そのため、包装容器１００を開封しても、包装容器１００内のガム１の位置がずれることはなく、これらのガム１がばらけて包装容器１００外へこぼれることはない。これにより、包装容器１００（外袋）を開封したとき、およびその後において使い勝手がよい。
【００３６】
包装容器１００において開封された（破れた）部分（開け口Ｘ）からは、包装容器１００内の食品ユニット３における個包装紙２の分離部２Ａの先端が露出される。
次いで、図５に示すように、開け口Ｘから露出された食品ユニット３の分離部２Ａを指先８０で摘み、当該食品ユニット３を、太線矢印で示すように開け口Ｘから上方ヘ引き出す。
【００３７】
すると、摘まれた食品ユニット３では、個包装紙２の固定部２Ｂが接着部材８によって包装容器１００側に固定されていることから、個包装紙２が分離部２Ａと固定部２Ｂとに分離する。これにより、摘まれた食品ユニット３では、分離部２Ａと、これに包まれたガム１とが一体となった状態で、包装容器１００から摘み出される。残りの食品ユニット３は、接着部材８によって包装容器１００側に固定されているので、包装容器１００内において、これらの食品ユニット３の位置がずれることはない。
【００３８】
摘み出された食品ユニット３のガム１において分離部２Ａから露出された部分をくわえることでガム１を食べることができる。
同様の手順で、包装容器１００における残りの食品ユニット３も摘み出して、各食品ユニット３のガム１を食べることができる。
このように、開封された包装容器１００から、個包装されたガム１を取り出す際、分離部２Ａを介してガム１が摘まれる。この状態でガム１を包装容器１００から引き出すと、固定部２Ｂと分離部２Ａとが分離するので、ガム１は、今まで固定部２Ｂに覆われていた部分が露出された状態で、包装容器１００から取り出される。そのため、個包装紙２を手で剥かなくてもガム１の一部分を露出させ、この部分からガム１を食べることができる。つまり、包装容器１００からガム１を取り出して食べるまでの間に、ガム１に直接触れずに済むので、包装容器１００に収容された食品（ガム１）を衛生的に食べることができる。
【００３９】
また、ガム１を全部食べ切らなかった場合には、図６に示すように、食べ残しのガム１についての食品ユニット３が包装容器１００内に残った状態で、包装容器１００において既に摘み出された食品ユニット３があった一方部分１００Ａを、それ以外の他方部分１００Ｂ側へ折り畳んでもよい。そうすれば、包装容器１００を簡易的に再び封止できるとともに、包装容器１００が小さくなる。なお、この一方部分１００Ａを切り落として除去してしまってもよい。
【００４０】
この発明は、以上に説明した実施形態に限定されるものではなく、請求項記載の範囲内において種々の変更が可能である。
たとえば、図２を参照して、接着部材８は、裏側外包装材５１でなく、表側外包装材５２において各食品ユニット３の個包装紙２の固定部２Ｂを覆う予定の部分に設けられてもよいし、表側外包装材５２および裏側外包装材５１の両方に設けられてもよい。接着部材８が表側外包装材５２だけに設けられる場合には、表側外包装材５２を裏側外包装材５１側へ折り返すと、接着部材８は、６つ全ての食品ユニット３における個包装紙２の固定部２Ｂと表側外包装材５２との間に介在され、全ての食品ユニット３は、接着部材８によって表側外包装材５２に対して相対移動不能に固定される。接着部材８が表側外包装材５２および裏側外包装材５１の両方に設けられる場合には、接着部材８は、６つ全ての食品ユニット３における個包装紙２の固定部２Ｂと表側外包装材５２との間、および、固定部２Ｂと裏側外包装材５１との間に介在され、全ての食品ユニット３は、接着部材８によって裏側外包装材５１および表側外包装材５２の両方に対して相対移動不能に固定される。
【００４１】
ここで、食品ユニット３が配列される裏側外包装材５１でなく、表側外包装材５２に接着部材８を設けるのであれば、接着部材８を設ける工程の自由度が広がるので、その分、様々な製造装置を用いて包装容器１００を製造することができる。
また、包装容器１００に食品ユニット３を横方向に６個並べて収容しているが、収容する食品ユニット３の数は、適宜変更可能である。
【００４２】
また、表側外包装材５２および裏側外包装材５１を一体形成していたが、これらを別々に形成してもよい。その場合、包装容器１００を組み立てる際、表側外包装材５２および裏側外包装材５１のそれぞれの４辺をシール部７でシールする。
また、図５を参照して、各食品ユニット３では、これを包装容器１００から取り出すときに個包装紙２が分離部２Ａと固定部２Ｂとに分離するのだが、個包装紙２が分離しなくてもよい。その場合には、個包装紙２にミシン目４（図１参照）を設けなくてもよく、食品ユニット３は、個包装紙２が分離されることなく包装容器１００から取り出される。個包装紙２が破れることなく食品ユニット３を容易に包装容器１００から取り出せるように、食品ユニット３は、接着部材８によって仮止め程度に（弱めに）包装容器１００に固定されていることが好ましい。
【００４３】
また、この実施例では、包装容器１００に収容される板状小片をガムとしたが、板状小片のチョコレートやキャンディであっても、同様に包装できる。
また、シール部７を接着剤で構成したが、粘着テープで構成してもよい。
また、包装容器１００は、その一部を破くことで開封されているが、表側外包装材５２と裏側外包装材５１とのシール部分を引き離すようにして開封されてもよい。
【００４４】
また、必要数分の食品ユニット３を集積紙（図示せず）で束ねた後に、食品ユニット３の束を包装容器１００にセットしてもよい。この場合、食品ユニット３の束は、包装容器１００を組み立てる前の裏側外包装材５１および表側外包装材５２（図２参照）の少なくとも一方に接着部材８で固定されていて、包装容器１００を組み立てると、包装容器１００に収容された状態となる（図３参照）。
【符号の説明】
【００４５】
１        ガム
２        個包装紙
２Ａ      分離部
２Ｂ      固定部
３        食品ユニット
４        ミシン目
５        裏側シール部
６        表側シール部
７        シール部
８        接着部材
９        開封ガイド切り込み
５０      シート
５１      裏側外包装材
５２      表側外包装材
５３      一縁
８０      指先
１００    包装容器
１００Ａ  一方部分
１００Ｂ  他方部分
Ｘ        開け口
【図１】
0005885929.tif 000002
【図２】
0005885929.tif 000003
【図３】
0005885929.tif 000004
【図４】
0005885929.tif 000005
【図５】
0005885929.tif 000006
【図６】
0005885929.tif 000007